(57)【特許請求の範囲】
【請求項１】
基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、
前記積層体は、前記背面電極を前記透明電極と絶縁し短絡を防ぐ絶縁層を有し、前記絶縁層は、前記接着面と正面視で一部が重なるように形成されていることを特徴とする電界発光表示素子。
【請求項２】
基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、
前記積層体の前記透明電極は、リード部と、前記リード部の一端と連なる表示セグメント部と、前記リード部の他端と連なる陽極端子部と、前記背面電極に導通される陰極端子部と、を有すると共に、
前記積層体は、前記背面電極を前記透明電極と絶縁し短絡を防ぐ絶縁層を有し、前記絶縁層は、前記接着面と正面視で一部が重なるように形成されていることを特徴とする電界発光表示素子。
【請求項３】
前記背面電極は、前記接着面と正面視で一部が重なるように形成されていることを特徴とする請求項１または請求項２に記載の電界発光表示素子。
【請求項４】
前記基板と前記封止部材の間に充填された吸湿剤を有することを特徴とする請求項１または請求項２に記載の電界発光表示素子。
【発明の詳細な説明】
【０００１】
【発明の属する技術分野】
本発明は、電界発光表示素子（ＥＬ）に関するものである。
【０００２】
【従来の技術】
従来より、図５に示す有機電界発光表示素子（以下、有機ＥＬと記す）がある。有機ＥＬはガラス基板１に積層体２を形成したものであり、この積層体２は透明電極３，有機層４，背面電極５を有する。有機層４は正孔注入層，正孔輸送層，発光層及び電子輸送層からなるものである。積層体２は封止ガラス６に覆われており、この封止ガラス６の接着面６ａはガラス基板１に接着剤７により接着されている。透明電極３と背面電極５の間には、短絡を防ぐため、発光セグメント８を除いて、絶縁層９が形成されている。ガラス基板２と封止ガラス７の間には吸湿剤Ａが充填されており、有機層４が水分に触れて劣化することを防止している。
【０００３】
【発明が解決しようとする課題】
しかしながら、極めて稀ではあるが、吸湿剤Ａの中に異物Ｂが混入していることがあり、この異物Ｂによって透明電極３と背面電極５が導通してしまい短絡する虞があった。透明電極３と背面電極５が短絡してしまうと、透明電極３と背面電極５に電圧を印加しても、発光層が発光しないため、その電界発光表示素子は不良品となる。そのため、若干ではあるが、歩留りが低下するという問題を有していた。
本発明は、この問題に鑑みなされたものであり、ガラス基板と封止ガラスの間に異物が混入しても透明電極と背面電極が短絡する虞がない電界発光表示素子を提供するものである。
【０００４】
【課題を解決するための手段】
本発明は、前記課題を解決するため、基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、前記積層体は、前記背面電極を前記透明電極と絶縁し短絡を防ぐ絶縁層を有し、前記絶縁層は、前記接着面と正面視で一部が重なるように形成されているものである。
【０００５】
また、本発明は、基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、前記積層体の前記透明電極は、リード部と、前記リード部の一端と連なる表示セグメント部と、前記リード部の他端と連なる陽極端子部と、前記背面電極に導通される陰極端子部と、を有すると共に、前記積層体は、前記背面電極を前記透明電極と絶縁し短絡を防ぐ絶縁層を有し、前記絶縁層は、前記接着面と正面視で一部が重なるように形成されているものである。
【０００６】
また、本発明は、前記背面電極は、前記接着面と正面視で一部が重なるように形成されているものである。
【０００７】
また、本発明は、前記基板と前記封止部材の間に充填された吸湿剤を有するものである。
【０００８】
【発明の実施の形態】
電界発光表示素子は、基板１０に積層体１１を形成し、この積層体１１を覆う凹部１２ｂを有する封止部材１２を基板１０に接着したものである。積層体１１は、透明電極１３，絶縁層１４，有機層１５，背面電極１６を有する。有機層１５は、少なくとも発光層があれば良いが、正孔注入層，正孔輸送層及び電子輸送層を設けても良い。絶縁層１４は、封止部材１２の凹部１２ｂよりも広範囲に形成されており、封止部材１２の接着面１２ａと正面視で一部重なる。
【０００９】
【実施例】
以下、添付の図面に基づいて、本発明の一実施例を説明する。有機ＥＬは、ガラス基板１０（基板），積層体１１，封止ガラス１２（封止部材）を有している。積層体１１は、ＩＴＯ（Indium Tin Oxide）からなる透明電極１３，絶縁層１４，有機層１５，アルミニウム等の金属からなる背面電極１６からなるものであり、ガラス基板１０の後面に積層形成されている。有機層１５は少なくとも発光層を有するものであるが、有機層１５に正孔注入層，正孔輸送層及び電子輸送層を設けても良い。
【００１０】
図４に示すように、透明電極１３は、リード部１７と、リード部１７の一端と連なる表示セグメント部１８と、リード部１７の他端と連なる陽極端子部１９と、陰極端子部２０とを有している。表示セグメント部１８は日字形に配設されており、この表示セグメント部１８に各々リード部１７が連設されている。リード部１７はガラス基板１０の一辺側に引き回されており、陽極端子部１９が連設されている。陽極端子部１９及び陰極端子部２０はガラス基板１０の一辺側に列状に配置されている。
【００１１】
透明電極１３のリード部１７及び表示セグメント部１８は、絶縁層１４により背面電極１６と絶縁されている。絶縁層１４は、透明電極１３の表示セグメント部１８の周縁部と若干重なるように形成されており、発光セグメント２１に対応する箇所及び各端子部１９，２０の近傍を除いて、ガラス基板１０の略全範囲に設けられている。絶縁層１４には矩形の切欠き部１４ａが設けられており、この切欠き部１４ａで陰極端子部２０に連設されたリード部２２が背面電極１６と導通される。
【００１２】
２３は紫外線硬化型の接着剤であり、この接着剤２３によりガラス基板１０の後面と封止ガラス１２の接着面１２ａとが接着される。封止ガラス１２には積層体１１を覆う凹部１２ｂが形成されており、この凹部１２ｂを除く封止ガラス１２の前面が接着面１２ａとなっている。Ａは吸湿剤であり、この吸湿剤Ａは封止ガラス１２の注入口（図示しない）から注入され、凹部１２ｂに充填されている。
絶縁層１４は、凹部１２ｂよりも広い範囲に形成されており、正面視で接着面１２ａと幅Ｗだけ重なっている。また、背面電極１６も、凹部１２ｂよりも広い範囲に形成されている。背面電極１６は、透明電極１３のリード部１７が背面電極１６に短絡しないように、絶縁層１４の外延よりも若干狭くなっている。
【００１３】
絶縁層１４はガラス基板１０の後面の略全範囲に形成されており、仮に、ガラス基板１０と封止ガラス１２の間に異物が混入したとしても、透明電極１３と背面電極１６が短絡する虞がない。従って、透明電極１３と背面電極１６の短絡が原因で不良品となることがなく、歩留りの向上が期待できる。
背面電極１６は、少なくとも発光セグメント２１に対応する箇所に形成されていれば良いが、ガラス基板１０，透明電極１３，絶縁層１４及び有機層１５が略透明であるのに対し、背面電極１６はアルミニウム等の金属からなるものであり、鏡面となって見えるため、背面電極１６をガラス基板１０の一部ではなく、略全範囲に形成し、電界発光表示素子の前面が略一様な外観にすることが望ましい。
【００１４】
【発明の効果】
本発明は、基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、前記積層体は、前記背面電極を前記透明電極と絶縁し短絡を防ぐ絶縁層を有し、前記絶縁層は、前記接着面と正面視で一部が重なるように形成されているものであり、基板と封止部材の間に異物が混入しても透明電極と背面電極が短絡する虞がない。
【００１５】
また、本発明は、基板と、前記基板に積層された透明電極と発光層と背面電極とを有する積層体と、接着剤により前記基板に接着される接着面と少なくとも前記発光層を覆う凹部とを備えた封止部材と、を有する電界発光表示素子であって、前記積層体の前記透明電極は、リード部と、前記リード部の一端と連なる表示セグメント部と、前記リード部の他端と連なる陽極端子部と、前記背面電極に導通される陰極端子部と、を有すると共に、前記積層体は、前記背面電極を前記透明電極と絶縁し短絡を防ぐ絶縁層を有し、前記絶縁層は、前記接着面と正面視で一部が重なるように形成されているものであり、基板と封止部材の間に異物が混入しても透明電極と背面電極が短絡する虞がない。
【図面の簡単な説明】
【図１】  本発明の実施例を示す要部断面図。
【図２】  同上実施例を示す断面図。
【図３】  同上実施例を示す正面図。
【図４】  同上実施例を示す分解斜視図。
【図５】  従来例を示す断面図。
【符号の説明】
９    有機ＥＬ（電界発光表示素子）
１０    ガラス基板（基板）
１１    積層体
１２    封止ガラス（封止部材）
１２ａ  接着面
１３    透明電極
１４    絶縁層
１５    有機層
１６    背面電極
２３    接着剤
【図１】
0003672078.tif 000002
【図２】
0003672078.tif 000003
【図３】
0003672078.tif 000004
【図４】
0003672078.tif 000005
【図５】
0003672078.tif 000006